(57)【要約】【課題】回線接続を正常性を監視する場合、パスのクロスコネクト設定後、クロスコクト部の両端に配接されたインタフェースにてパス正当性を監視していた。そのため、クロスコネクトの誤動作により、接続済みのパスを解除して監視対象のパスを設定しまうといった問題が指摘されている。【解決手段】本発明は、監視対象のパス（接続元アドレス、接続先アドレス）を制御部に入力し、インタフェース部１にて接続元アドレスがＩＮＦ１に収容されるアドレスか否かを監視し、含まれると判断されると接続元と接続先の接続点情報を制御データ部分に挿入する。ＩＮＦ３では、クロスコネクト部２を介して接続点情報を抽出し、接続先アドレスがＩＮＦ３に収容されるアドレスか否かを監視し、続いて接続点情報が他のパスとして設定されていないか否かを監視することでパスの正常性の監視を終了する。【選択図】　　　図４
2004064361.tif 000002
【特許請求の範囲】
【請求項１】
パスの入力を受け付ける入力インタフェースと、当該入力インタフェースから出力されたパスの接続元アドレス及び接続先アドレスに基づきクロスコネクト接続を行うクロスコネクト部と、当該クロスコネクト部から出力されたパスを受信し対向装置に出力する出力インタフェースと、装置全体を制御する制御部とを備えたクロスコネクト装置において、
前記入力インタフェースは、パス設定にあたって前記制御部から受信したパスの設定対象となる接続元アドレスが自己のインタフェースに含まれる否かを判断する第１の比較部と、当該第１の比較部における比較の結果、自己のインタフェースに含まれると判断すると前記制御部から受信したパスの設定対象となる前記接続元アドレスと接続先アドレスからなるクロスコネクト情報のみを制御データ部分に挿入し前記クロスコネクト部に出力するクロスコネクト情報挿入部とを有し、
前記出力インタフェースは、前記クロスコネクト部から受信した前記クロスコネクト情報を抽出するクロスコネクト情報抽出部と、当該抽出されたクロスコネクト情報に含まれる接続先アドレスが自己のインタフェースに含まれるか否かを判断する第２の比較部と、当該第２の比較部における比較の結果、自己のインタフェースに含まれると判断すると、続いて前記パスの設定対象となる前記接続元アドレスと接続先アドレスからなるクロスコネクト情報の使用状況を確認し未使用の場合に前記制御部に正常応答を返信する第３の比較部とを有し、
前記制御部は、前記第３の比較部から正常応答を受信した後にパスのクロスコネクト設定を行い、パスの正常性監視を終了することを特徴とするクロスコネクト装置。
【発明の詳細な説明】
【０００１】
【発明の属する技術分野】
本発明は、パス単位にクロスコネクトを行うクロスコネクト装置に関し、特にクロスコネクトの正常性監視方式に関する。
【０００２】
【従来の技術】
従来のクロスコネクト装置において、回線接続の設定が正しく行われたかを確認するためには、パスのクロスコネクト設定を行い、クロスコネクト部をはさんだ両端で、回線試験等を行うことにより確認していた。なお、パスとはある一定数の回線を束ねたものである。
【０００３】
図８は、従来のクロスコネクト装置のブロック図を示しており、対向装置と接続するインタフェース部１及び３と、装置内でパス同士を接続するクロスコネクト部２、及び登録、設定等の制御を行う制御部４とから構成される。ここでは、１．５Ｍパスをクロスコネクト接続した時の一例を示すものであって、接続元アドレス１０１と接続先アドレス３０１間においてパスＡのクロスコネクトが接続されている。そして、クロスコネクトが接続された後、インタフェース部１及び３において、パスＡの回線試験等を行うことにより導通試験を完了する。なお、本説明でいうアドレスとは図９に示すように、ＩＦ番号情報、パス番号情報を持ったものである。
【０００４】
【発明が解決しようとする課題】
しかしながら、従来のクロスコネクト装置のクロスコネクト正常性監視では、以下のような問題があった。
【０００５】
第１に、パスのクロスコネクト接続を行った後に、正常性監視を行っていたため、クロスコネクト設定時に、クロスコネクト設定が正常に実行されなかったために、他のパスのクロスコネクトを解除し、自己のパスのクロスコネクトを設定してしまうという問題があった。すなわち、図８に示すように、パスＡのクロスコネクトが設定されている状態で、接続元アドレス１０４から接続先アドレス３０３にパスを設定しようとしたところ、誤ってパスＡのクロスコネクトを解除し、接続元アドレス１０４と接続先アドレス３０１とをクロスコネクトを接続しパスＣとしてしまうことがある。
【０００６】
また、クロスコネクト設定解除時に、誤って異なるクロスコネクト設定を解除してしまうという問題点があった。
【０００７】
そこで、本発明の目的は、既設のクロスコネクトに影響を与えることのないクロスコネクトの正常性監視方式の提供にある。
【０００８】
【課題を解決するための手段】
本発明によれば、パスの入力を受け付ける入力インタフェースと、当該入力インタフェースから出力されたパスの接続元アドレス及び接続先アドレスに基づきクロスコネクト接続を行うクロスコネクト部と、当該クロスコネクト部から出力されたパスを受信し対向装置に出力する出力インタフェースと、装置全体を制御する制御部とを備えたクロスコネクト装置において、前記入力インタフェースは、パス設定にあたって前記制御部から受信したパスの設定対象となる接続元アドレスが自己のインタフェースに含まれる否かを判断する第１の比較部と、当該第１の比較部における比較の結果、自己のインタフェースに含まれると判断すると前記制御部から受信したパスの設定対象となる前記接続元アドレスと接続先アドレスからなるクロスコネクト情報のみを制御データ部分に挿入し前記クロスコネクト部に出力するクロスコネクト情報挿入部とを有し、前記出力インタフェースは、前記クロスコネクト部から受信した前記クロスコネクト情報を抽出するクロスコネクト情報抽出部と、当該抽出されたクロスコネクト情報に含まれる接続先アドレスが自己のインタフェースに含まれるか否かを判断する第２の比較部と、当該第２の比較部における比較の結果、自己のインタフェースに含まれると判断すると、続いて前記パスの設定対象となる前記接続元アドレスと接続先アドレスからなるクロスコネクト情報の使用状況を確認し未使用の場合に前記制御部に正常応答を返信する第３の比較部とを有し、前記制御部は、前記第３の比較部から正常応答を受信した後にパスのクロスコネクト設定を行い、パスの正常性監視を終了することを特徴とするクロスコネクト装置を得ることができる。
【０００９】
【発明の実施の形態】
以下、図面を参照して、この発明の好適な実施の形態を例示的に説明する。ただし、この実施の形態に記載されている構成部品の寸法、材質、その相対配置などは、特に特定的な記載がない限りは、この発明の範囲をそれらのみに限定する趣旨のものではない。
【００１０】
図１に、本発明の一実施形態に係るクロスコネクト装置のブロック図を示しており、対向装置と接続するインタフェース部１及び３、装置内でパス同士を接続するクロスコネクト部２、および登録，設定等の制御を行う制御部４からなる。
【００１１】
本実施形態では、インタフェース部は大きく分けて、クロスコネクトに必要な接続点情報（接続元、接続先）を挿入するクロスコネクト情報挿入部１１と、クロスコネクト情報挿入部１１により挿入された接続点情報を抽出するクロスコネクト情報抽出部３１と、ＩＦ番号情報，パス番号情報等のアドレス情報や、既にクロスコネクト設定が行われているパスの接続点情報（接続元，接続先）をクロスコネクト情報として記録するメモリ部１３又は３３と、およびメモリ部により記録された情報と、制御部４からくるクロスコネクトの接続点情報（接続元）またはクロスコネクト情報抽出部３１により抽出されたクロスコネクトの接続点情報（接続先）とを比較する比較部１２又は３２を有するが、パスＡとパスＢでは同様のことが言えるため、インタフェース部１はクロスコネクト情報挿入部１１、比較部１２、メモリ部１３、インタフェース部３はクロスコネクト情報抽出部３１、比較部３２、メモリ部３３のみを記してある。
【００１２】
図１において、インタフェース部１に入力されたパスＡは、クロスコネクト部２により、方路設定が行われ、インタフェース部３より対向装置へ出力される。
【００１３】
また同様に、パスＢはインタフェース部３にて受信され、クロスコネクト部２を経由してインタフェース部１より、反対の対向装置へ送出される。そのため、パスＡとパスＢでは同様のことが言えるため、本説明ではパスＡについてのみ説明する。
【００１４】
以下に一実施例に基づいて本発明の動作を詳細に説明する。図２は図１のインタフェース部１を詳細に記したものである。図２において、ＩＦ登録（インタフェース盤の登録管理）、パス登録等を行った際に、メモリ部１３にて、制御部４より送信されてくるＩＦ番号情報、パスの使用状態としてパス番号情報等のアドレス情報を記録しておく。
【００１５】
パスのクロスコネクト設定を行う際には、まず制御部４にクロスコネクトの設定情報として接続点情報（接続元、接続先）を与える。そして制御部４は、インタフェース部１に当該接続点情報に含まれる接続元を送信する。
【００１６】
インタフェース部１では、制御部４から受信したクロスコネクトの接続点情報（接続元）と、メモリ部１３にて記録されているアドレス情報を読み出し、比較部１２にて比較を行い、一致していなければ制御部４に対しエラー応答を送信する。一方、比較部１２にて一致していることが確認できれば、図２に示すように、制御データ部（１．５Ｍパス以外）の一部にクロスコネクト情報に含まれる接続点情報（接続元、接続先）のみのクロスコネクト設定を行う。すなわち、制御部４より送信されてきたクロスコネクトの接続点情報（接続元、接続先）を、クロスコネクト情報挿入部１１にて挿入し、クロスコネクト部２に出力する。このとき、接続点情報（接続元、接続先）を挿入するタイミングは、タイミング生成部１４にて生成される。なお、パスＡはまだクロスコネクト設定を行っていないため導通していない。また、図４は１．５Ｍパスのクロスコネクト設定を行う場合を例にとって示している。
【００１７】
図３は図１のインタフェース部３を詳細に記したものである。図３において、インタフェース部１と同様にＩＦ登録（インタフェース盤の登録管理）、パス登録等を行った際に、メモリ部１３にて、制御部４より送信されてくるＩＦ番号情報、パスの使用状態としてパス番号情報等のアドレス情報を記録しておく。
【００１８】
インタフェース部３は、クロスコネクト部２を介してインタフェース部１にて挿入された接続点情報から接続先をクロスコネクト情報抽出部３１にて抽出する。なお、抽出のタイミングはタイミング制御部３４にて生成されるものに基づく。抽出されたクロスコネクトの接続点情報（接続先）と、メモリ部３３にて記録されているアドレス情報とを、比較部３２にて比較を行い、一致していなければ制御部４に対しエラー応答を送信する。
【００１９】
一方、一致していることが確認できれば、比較部３２は、抽出した接続点情報（接続元、接続先）とメモリ部３３から読み出したクロスコネクト情報とを比較する。その結果、抽出した接続点情報が使用されていなければ、当該パスの設定が正当なものとして制御部４に正常応答を送信する。しかし、メモリ部３３から読み出したクロスコネクト情報と抽出した接続点情報とが一致した場合、既にパスの設定として使用されているので、制御部４にエラー応答を送信する。
【００２０】
上記の通り、クロスコネクトの接続点情報の比較は、パスのクロスコネクトを設定する前に行う。先にクロスコネクトの接続点情報（接続元、接続先）のみのクロスコネクト接続を行い、クロスコネクトに必要な接続点情報の正当性を確認した後、パスのクロスコネクト設定を行う。パスのクロスコネクト設定を行った際には、図２のメモリ部１３、図３のメモリ部３３に対し、クロスコネクトの接続点情報（接続元）と接続点情報（接続先）をクロスコネクト情報として記録する。そして、次クロスコネクト設定時には、まずメモリ部３３内のクロスコネクト情報と、制御部４から送信されてきたクロスコネクトの接続点情報（接続元）、およびクロスコネクト情報抽出部３１より抽出されたクロスコネクトの接続点情報（接続先）との比較を行ってから上記の比較を行う。上記のクロスコネクト設定時の動作をフローチャートにして図８に示す。
【００２１】
次に、クロスコネクト設定解除時の動作について図２，３を用いて説明する。クロスコネクト設定解除時の動作もクロスコネクト設定時と同様に、まず制御部４に解除対象の接続点情報（接続元、接続先）を与える。そして、制御部４は、インタフェース部１に当該接続点情報を送信する。
【００２２】
インタフェース部１は、受信した接続点情報（接続元、接続先）のうち接続元について、メモリ部１３に記憶されているアドレス情報を読み出し、比較部１２にて比較を行い、一致していなければ制御部４にエラー応答を送信し解除動作を終了する。
【００２３】
一方、一致が検出されると、比較部１２では引き続き、前記接続点情報（接続元、接続先）について、メモリ部１３から読み出したクロスコネクト情報との比較を行う。その結果、一致が検出されると、解除要求のあった接続点情報と既設のクロスコネクト情報との照合がとれたと判断し、図５に示すように既にクロスコネクト接続されパスが導通しているパスＡに対して、クロスコネクト設定解除毎に制御部４より事前に送信されてくるクロスコネクトの接続点情報（接続先）を、クロスコネクト情報挿入部１１により付加する。なお、クロスコネクトの接続点情報（接続先）を付加するタイミングは、タイミング生成部１４にて生成される。そして、既設のパスに当該接続点情報が付加されたパスＡは、クロスコネクト部２を介してインタフェース部３に送信される。
【００２４】
インタフェース部３では、クロスコネクトの接続点情報（接続元、接続先）が付加されたパスＡから、クロスコネクト情報抽出部３１によりタイミング生成部３４にて生成されたタイミングで、クロスコネクトの接続点情報（接続元、接続先）を抽出する。そして、抽出されたクロスコネクトの接続点情報（接続先）と、メモリ部３３から読み出したアドレス情報とを比較部３２にて比較する。その結果、不一致が検出されると、受信した解除要求の接続先がインタフェース部３に含まれないと判断し、制御部４にエラー応答を送信する。
【００２５】
一方、一致が検出されると、比較部３２にて、接続点情報（接続元、接続先）と、メモリ部３３から読み出したクロスコネクト情報との比較を行い、一致が検出されると解除要求のパスが存在すると判断し、制御部４にパスのクロスコネクト設定解除を送信しパスを解除する。不一致が検出されると、当該要求のパスが存在しないと判断し、制御部４にエラー応答を送信し処理を終了する。
【００２６】
制御部４はインタフェース部３からの正常応答の受信を確認してから、パス自体のクロスコネクト設定解除を行う。なお、図５は１．５Ｍパスのクロスコネクト設定解除を行う場合を例にとって示している。
【００２７】
上記のクロスコネクト設定解除時の動作をフローチャートにして図７に示す。
【００２８】
【発明の効果】
以上説明したように、第１の効果は、パスのクロスコネクト設定を行うことなしに、クロスコネクトに必要な接続点情報の正当性を確認することができる。
【００２９】
よって、クロスコネクト設定時に、既に設定済みのクロスコネクト設定を、異なる設定と置き換えない
また、クロスコネクト設定解除時に、誤って異なるクロスコネクト設定を解除しない。
【図面の簡単な説明】
【図１】本発明の一実施の形態に係るクロスコネクト装置のブロック図である。
【図２】図３に示すインタフェース部１のブロック図である。
【図３】図３に示すインタフェース部３のブロック図である。
【図４】実施形態に係るクロスコネクト設定時の接続点情報挿入および抽出例を示す。
【図５】実施形態に係るクロスコネクト設定解除時の接続点情報付加および抽出例を示す。
【図６】実施形態に係るクロスコネクト設定時のフローチャートである。
【図７】実施形態に係るクロスコネクト設定解除時のフローチャートである。
【図８】従来のクロスコネクト装置のブロック図である。
【図９】アドレス情報の構成を示す図。
【符号の説明】
１、３　インタフェース部
１１　クロスコネクト情報挿入部
１２、３２　比較部
１３、３３　メモリ部
３１　クロスコネクト情報抽出部
３４　タイミング生成部
２　クロスコネクト部
４　制御部
【図１】
2004064361.tif 000003
【図２】
2004064361.tif 000004
【図３】
2004064361.tif 000005
【図４】
2004064361.tif 000006
【図５】
2004064361.tif 000007
【図６】
2004064361.tif 000008
【図７】
2004064361.tif 000009
【図８】
2004064361.tif 000010
【図９】
2004064361.tif 000011